(57)【要約】      （修正有）【課題】装置の保守・点検が、荒天に左右されずに実行可能な波力を連続回転運動に変換する装置を提供する。【解決手段】波の不規則な上下（往復）運動を一定方向の連続回転運動に変換する装置であって、海面上の浮動体１０と陸地側の釣合錘１を、ワイヤ１２と第２のギア４及び第１のギア３に逆Ｓ字形に噛み合わせた第１のチェン１３とで連結し、滑車２を介して釣り合わせ、波の振動に合わせて可動にする。さらに、第２の大ギア７（第２のギア４と同軸）、第１の大ギア６（第１のギア３と同軸）、出力軸５（ラチェット内蔵でフライホイル１４と同軸）の３組の軸を第２のチェン１５で連結することで回転方向を同一にする。【選択図】図１
0003198492.tif 000002
【実用新案登録請求の範囲】
【請求項１】
波の不規則な上下運動を一定方向へ回転させる連続回転運動に変換する装置であって、海面上の浮動体１０と陸地側の釣合錘１をワイヤ１２と第１のチェン１３をラチェット内蔵の第２のギア４とラチェット内蔵の第１のギア３に逆Ｓ字形に噛み合わせ、それぞれが右回転時に駆動する。２組のギアを同軸とする第２の大ギア７、第１の大ギア６とラチェット内蔵の出力軸５を第２のチェン１５で連結し、３組の軸が常に右回転する仕組を特徴とする連続回転運動に変換する装置。
【考案の詳細な説明】
【技術分野】
【０００１】本考案は、波の不規則な上下（往復）運動を一定方向へ回転させる連続回転運動に変換する装置に関する。【０００２】従来、この種の波力を連続回転運動に変換する装置は、海上に敷設されていた。
【先行技術文献】
【特許文献】
【０００３】
【特許文献１】特開平１１−６４７２号公開公報
【特許文献２】特開２０１２−４１９３４号公開公報
【０００４】
【考案が解決しようとする課題】
【０００５】従来の波力を連続回転運動に変換する装置は、海上に敷設されたので、装置の保守や点検は、荒天に左右されて容易ではなかった。また、波の不規則な上下（往復）運動を一定方向へ回転させる連続回転運動に変換する装置は、構造が複雑となり、建設費も嵩み、保守管理も容易でなかった。
【問題を解決しようとする手段】
【０００６】上記の問題を解決する為に、本考案は、波の不規則な上下（往復）運動を一定方向へ回転させる連続回転運動に変換する装置であって、海面上の浮動体１０と陸地側の釣合錘１をワイヤー１２と第１のチェン１３を介して釣合を取り、図１に示すラチェット内蔵の第２のギヤ４、ラチェット内蔵の第１ギア３に第１のチェン１３を逆Ｓ字形に噛み合わせ、浮動体１０が下降すると第２のギア４が右回転し駆動する、第１のギア３は空転し、駆動体１０が上昇すると第２のギア４は左回転し空転、第１のギア３は右回転し駆動する。第２の大ギア７と第２のギア４は同軸、第１のギア３は同軸、ラチェット内蔵の出力軸５とフライホイル１４は同軸で３組の軸を第２のチェン１５で連結することで同じ回転になり、フライホイルの慣性で滑らかな回転が得られる。本装置はり机上に往復運動を回転運動へ変換する部分を設置したことで保守管理が容易で、構造が極めて簡単で小型化でき建設費も軽減できた。
【考案の効果】
【０００７】本考案に係る波力を連続回転運動に変換する装置は、上述したように、ラチェット内蔵の第２のギア４、第１のギア３に第１のチェン１３を逆Ｓ字形にかけることで第１のチェン１３の往復運動を簡単に連続回転運動に変換でき、また浮動体１０に滑車９をつけることで並みの上下（往復）運動幅を２倍の幅に増幅でき、内海の船舶が多く航行する水路、港湾に適する。本装置は簡単な構造で小型化、建設費も保守管理も容易になった。
【図面の簡単な説明】
【０００８】
【図１】洋上の浮動体から力上の回転運動変換装置までの一実施例を示す経路図である。
【図２】図１の回転運動変換装置の左側面図である。
【考案を実施するための形態】
【０００９】以下、本考案に係る実施例の形態を図面に基づき説明する。
【実施例】
【００１０】図１から図２は本考案に係る一実施例を示し、本実施例では、海面上の浮動体１０と陸地側の釣合錘１をワイヤー１２と第１のチェン１３で釣り合わせ、波の振動に合わせて可動に連結するとともに、第１のチェン１３を第２のギア４、第１のギア３に逆Ｓ字形に噛み合わせ、滑車２を介して釣合錘１と接続。第２の大ギア７と第２のギア４（ラチェット内蔵）は同軸、第１の大ギア６と第１のギア３（ラチェット内蔵）は同軸、フライホイル１４と出力軸５（ラチェット内蔵）は同軸。３組の軸を第２のチェン１５で連結し回転を同一にする。浮動体１０が上下運動をすると、ワイヤ１２が基部から滑車９（水中用）を介して第１のチェン１３に連結されているので上下又は往復運動が２倍に増幅され、第１のチェン１３を上下又は往復運動させる。浮動体１０が下降すると第２のギア４は右回転しくどうする。第１のギア３は左回転（空転）、浮動体１０が上昇すると第２のギア４は左回転（空転）、第１のギア３は右回転し駆動する。この一連の往復運動で第２のチェン１５で連結された３組の軸は常に右回転し浮動体１０が上死点時、下死点時運動が途絶えてもフライホイル１４の慣性によりなめらかに回転する。本装置は構造が極めて簡単で部材も最少で接地面積も建設費も軽減でき、保守管理も容易である。
【産業上の利用可能性】
【００１１】本考案は、波力のみならず、各種トレーニング機器等にも使用出来る。
【符号の説明】
【００１２】１    釣合錘
２    滑車
３    第１のギア（ラチェット内蔵）
４    第２のギア（ラチェット内蔵）
５    出力軸（ラチェット内蔵）
６    第１の大ギャ
７    第２の大ギャ
８    ワイヤーガイド
９    滑車（水中用）
１０  浮動体
１１  基部
１２  ワイヤ
１３  第１のチェン
１４  フライホイル
１５  第２のチェン
【図１】
0003198492.tif 000003
【図２】
0003198492.tif 000004
【手続補正書】
【提出日】平成26年12月12日(2014.12.12)
【手続補正１】
【補正対象書類名】実用新案登録請求の範囲
【補正対象項目名】全文
【補正方法】変更
【補正の内容】
【実用新案登録請求の範囲】
【請求項１】
波の不規則な上下運動を一定方向へ回転させる連続回転運動に変換する装置であって、海底に固定された基部（１１）にワイヤ（１２）を接続し、該ワイヤ（１２）を不動体（１０）に取り付けられた滑車（９）を介し、前記基部（１１）に取り付けたワイヤガイド（８）を通し、該ワイヤガイド（８）に通されたワイヤ（１２）の端部と第１のチエン（１３）の端部を接続し、該第一のチェン（１３）を、ラチェット機構を有する第２のギア（４）と、同第２のギア（４）と隣接し、ラチェット機構を有する第１のギア（３）とを回転方向を相反するように噛み合わせ、前記第１のギア（３）の駆動時には第２のギア（４）は空転し、同第２のギア（４）の駆動時には同第１のギア（３）は空転し、前記第１のチェンの端部に釣合い錘（１）を設けた構造であり、前記第２のギア（４）と同軸である第２の大ギア（７）は同第２のギア（４）の回転時に第２のチェン（１５）を連動させ、前記第１のギア（３）と同軸である第１の大ギア（６）は同第１のギア（３）の回転時に第２のチェン（１５）を連動させ、第２のチェン（１５）の回転により出力軸（５）が回転し、出力軸（５）が回転することで波の力を連続回転運動させる装置。
【手続補正書】
【提出日】平成27年2月16日(2015.2.16)
【手続補正１】
【補正対象書類名】実用新案登録請求の範囲
【補正対象項目名】全文
【補正方法】変更
【補正の内容】
【実用新案登録請求の範囲】
【請求項１】
波の不規則な上下運動を一定方向へ回転させる連続回転運動に変換する装置であって、海底に固定された基部（１１）にワイヤ（１２）を接続し、該ワイヤ（１２）を浮動態（１０）に取り付けられた滑車（９）を介し、前記基部（１１）に取り付けたワイヤガイド（８）を通し、該ワイヤガイド（８）に通されたワイヤ（１２）の端部と第１のチエン（１３）の端部を接続し、該第１のチエン（１３）を、ラチェット機構を有する第２のギア（４）と、同第２のギア（４）と隣接し、ラチェット機構を有する第１のギア（３）とを回転方向を相反するように噛み合わせ、前記第一のギア（３）の駆動時には第２のギア（４）は空転し、同第２のギア（４）の駆動時には同第１のギア（３）は空転し、前記第１のチエンの端部に釣合錘（１）を設けた構造であり、前記第２のギア（４）と同軸である第２の大ギア（７）は同第２のギア（４）の回転時に第２のチエン（１５）を連動させ、前記第１のギア（３）と同軸である第１の大ギア（６）は同第１のギア（３）の回転時に第２のチエン（１５）を連動させ、第２のチエン（１５）の回転により出力軸（５）が回転し、出力軸（５）が回転することで波の力を連続回転運動する装置。
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
波の不規則な上下運動を一定方向へ連続回転運動に変換する装置であって、海底に固定された基部（１１）にワイヤ（１２）を接続し、該ワイヤ（１２）を浮動態（１０）に取り付けた滑車（９）を介し、前記基部（１１）に取り付けたワイヤガイド（８）を通し、該ワイヤガイド（８）に通されたワイヤ（１２）の端部と第１のチエン（１３）の端部を接続し、該第１のチエン（１３）を、ラチェツト機構を有する第２のギア（４）と、同第２のギア（４）と隣接し、ラチェト機構を有する第１のギア（３）とを回転方向を相反するように噛み合わせ、前記第１のギア（３）の駆動時には第２のギア（４）は空転し、同第２のギア（４）の駆動時には同第１のギア（３）は空転し、前記第１のチエン（１３）の端部に釣合い錘（１）を設けた構造であり、前記第２のギア（４）と同軸である第２の大ギア（７）は同第２のギア（４）の回転時に第２のチエン（１５）を連動させ、前記第１のギア（３）と同軸である第１の大ギア（６）は同第１のギア（３）の回転時に第２のチエン（１５）を連動させ、第２のチエン（１５）の回転により出力軸（５）が回転し、出力軸（５）が回転することで波の力を連続回転運動に変換する装置。